(57)【要約】【課題】吊上げ代を充分に見込めない場所に適した吊具及びその使用方法を提供する。【解決手段】クレーンのフック１が係合可能なシャフトを有してフック１を取り囲む形状のフレーム２と、このフレーム２から真横に向けて四方へ延びるビーム３と、これらビーム３の先端からそれぞれ垂下するワイヤロープ４とを備え、クレーンによってフレーム２を縦形タンク６の直上に位置させたときに、ビーム３の先端が縦形タンク６の側面よりも外方へ突き出るようにビーム３を形作り、各ワイヤロープ４の下端を縦形タンク６に設けたアイプレート１１に連結し得るように構成する。更に、各ビーム３の先端から突き出るアーム１５を設け、各アーム１５の先端にワイヤロープ４を引き寄せる干渉防止手段１８を付帯させる。【選択図】図１
2008239287.tif 000002
【特許請求の範囲】
【請求項１】
クレーンのフックを取り囲むフレームと、該フレームに付帯し且つクレーンのフックが係合可能なシャフトと、前記フレームから真横に向けて放射状に延びる複数のビームと、これらビームの先端からそれぞれ垂下するロープとを備え、背高対象物の直上にフレームを位置させた際に、ビームの先端が背高対象物の側面よりも外方へ突き出るようにビームを形作り、各ロープの下端を背高対象物の側面に連結し得るように構成したことを特徴とする吊具。
【請求項２】
各ビームの先端から突き出るアームを設け、各アームの先端にロープを引き寄せる干渉防止手段を付帯させた請求項１に記載の吊具。
【請求項３】
フレームにクレーンのフックを入れてシャフトに係合させ、フックの昇降と横移動との組み合わせにより背高対象物の直上にフレームを位置させて、ビームから垂下するロープが背高対象物の側面に沿うようにし、このロープを背高対象物に連結し、フックの昇降と横移動の組み合わせにより背高構造物を所定位置へ運んだ後、ロープと背高対象物の連結を解くことを特徴とする請求項１に記載の吊具の使用方法。
【請求項４】
背高対象物の直上にフレームを位置させる前に、干渉防止手段によりロープをアーム側に引き寄せて隣り合うロープの間隔を拡げ、この後、背高対象物の直上にフレームを位置させてから、干渉防止手段によるロープの引き寄せを解いてビームから垂下するロープが背高対象物の側面に沿うようにし、更に、ロープと背高対象物の連結を解くのに先立ち、干渉防止手段によりロープをアーム側に引き寄せて隣り合うロープの間隔を拡げる請求項３に記載の吊具の使用方法。
【発明の詳細な説明】
【技術分野】
【０００１】
本発明は、吊上げ代が少ない状況を考慮した吊具及びその使用方法に関するものである。
【背景技術】
【０００２】
一般的な揚重作業では、対象物に装着した玉掛け用ワイヤロープをクレーンのフックに係止し、該フックの昇降と横移動との組み合わせにより、対象物を吊上げて移動させるが、特殊な状況で揚重作業を行う場合には、用途に特化した吊具を使っている。
【０００３】
このような吊具には、クレーンのフックの最大寄付き位置の外で機器を吊上げることを目的としたもの（例えば、特許文献１参照）や、給電用架線の下で車両を吊上げることを目的としたもの（例えば、特許文献２参照）などが提案されている。
【特許文献１】特開平９−３１５７６０号公報
【特許文献２】特開平１１−１２４２８８号公報
【発明の開示】
【発明が解決しようとする課題】
【０００４】
しかしながら、建屋内で組み上げた背高対象物を常設の天井クレーンで吊上げる場合のように、吊上げ代を充分に見込めない状況を考慮した吊具は、今まで提案されていない。
【０００５】
このため従来は、背高対象物をジャッキアップしたうえ、低床台車に積んで建屋の外へ搬出するか、あるいは建屋の屋根や側壁の一部を取り外し、移動式クレーンを使って背高構造物を吊上げるなどの大掛かりな手法で対応せざるを得なかった。
【０００６】
本発明は、吊上げ代を充分に見込めない場所に適した吊具及びその使用方法を提供することを目的としている。
【課題を解決するための手段】
【０００７】
上記目的を達成するため、請求項１に記載の発明では、クレーンのフックを取り囲むフレームと、該フレームに付帯し且つクレーンのフックが係合可能なシャフトと、前記フレームから真横に向けて放射状に延びる複数のビームと、これらビームの先端からそれぞれ垂下するロープとを備え、背高対象物の直上にフレームを位置させた際に、ビームの先端が背高対象物の側面よりも外方へ突き出るようにビームを形作り、各ロープの下端を背高対象物の側面に連結し得るように構成している。
【０００８】
請求項２に記載の発明では、各ビームの先端から突き出るアームを設け、各アームの先端にロープを引き寄せる干渉防止手段を付帯させてある。
【０００９】
請求項３に記載の発明では、フレームにクレーンのフックを入れてシャフトに係合させ、フックの昇降と横移動との組み合わせにより背高対象物の直上にフレームを位置させて、ビームから垂下するロープが背高対象物の側面に沿うようにし、このロープを背高構造物に連結し、フックの昇降と横移動の組み合わせにより背高対象物を所定位置へ運んだ後、ロープと背高対象物の連結を解く。
【００１０】
請求項４に記載の発明では、背高対象物の直上にフレームを位置させる前に、干渉防止手段によりロープをアーム側に引き寄せて隣り合うロープの間隔を拡げ、この後、背高構造物の直上にフレームを位置させてから、干渉防止手段によるロープの引き寄せを解いてビームから垂下するロープが背高対象物の側面に沿うようにし、更に、ロープと背高対象物の連結を解くのに先立ち、干渉防止手段によりロープをアーム側に引き寄せて隣り合うロープの間隔を拡げる。
【００１１】
本発明では、フレーム内に入れたクレーンのフックをシャフトに係合させて、フックと背高対象物の間隔を狭め、背高対象物の揚重作業時の吊上げ代を確保する。
【００１２】
また、干渉防止手段により隣り合うロープの間隔を拡げて、ロープが背高対象物の側面に接触しないようにする。
【発明の効果】
【００１３】
本発明の吊具及びその使用方法によれば、下記のような優れた効果を奏し得る。
【００１４】
（１）クレーンのフックが上方からフレームに入ってシャフトに係合するので、フックと吊具との間に玉掛け用ワイヤロープを介在させる必要が全くなく、フックがフレームに入り込んだ分に相当する高さを、揚重作業時の吊上げ代に充てることができる。
【００１５】
（２）ビームから垂下しているロープを、干渉防止手段によってアームの先端へと引き寄せると隣り合うロープの間隔が拡がるので、吊具を背高対象物に近付けるときや、吊具を背高構造物から遠ざけるときに、ロープが背高対象物の側面に接触することを防げる。
【発明を実施するための最良の形態】
【００１６】
以下、本発明の実施の形態を図面に基づき説明する。
【００１７】
図１〜図７は本発明の吊具の一例であって、クレーンのフック１を取り囲むフレーム２と、該フレーム２から真横に向けて四方へ延びるビーム３と、これらビーム３の先端から垂下するワイヤロープ４と、前記フレーム２に付帯するシャフト５とを備えており、縦形タンク６の直上にフレーム２を位置させた際に、全てのビーム３の先端が縦形タンク６の側面よりも外方へ突き出るようにビーム３を形作ってある。
【００１８】
隣接するビーム３の先端は、その一方から他方へと延びる補強ビーム７を介して強固に接続されている。
【００１９】
フレーム２は互いに向き合う荷重伝達部材８を有し、クレーンのフック１はフレーム２の上方から荷重伝達部材８の間に入る。
【００２０】
シャフト５は、フレーム２の荷重伝達部材８に横向きに穿設してある孔に嵌まり、先に荷重伝達部材８の間に入れてあるフック１が係合する位置と、当該荷重伝達部８の孔から抜けてその脇の受台９に載り、フック１が荷重伝達部材８の間へ出入りし得る位置との間を移動できるようにしてある。
【００２１】
ワイヤロープ４の上端及び下端にはシンブル加工が施してあり、ワイヤロープ４の上端部位は、ビーム３先端下面に装着したアイプレート１０にシャクル（図示せず）を用いて連結してある。
【００２２】
縦形タンク６の側面下辺には、ビーム３と同じ数のアイプレート１１が装着してあり、このアイプレート１１は、フレーム２を縦形タンク６の直上に位置させた際に、ビーム３先端のアイプレート１０に相対する。
【００２３】
ワイヤロープ４の下端部位は、縦形タンク６の径方向へ延びるピン１２により連結部材１３の上部に常に連結され、揚重作業時には連結部材１３の下部に、縦形タンク６の接線方向へ延びるピン１４によって前記アイプレート１１が連結される。
【００２４】
各ビーム３の先端には、それぞれアーム１５が突き出るように取り付けてある。
【００２５】
このアーム１５は、各ビーム３の側面に２つずつ並べて設けたホルダ１６に軸線方向へ摺動し得るように差し込んであり、アーム１５及び一方のホルダ１６にそれぞれ穿設した孔に同一のストッパ１７を嵌め込むと、アーム１５がビーム３の先端から最も突き出した状態で拘束される。
【００２６】
アーム１５の先端には、ビーム３から垂下しているワイヤロープ４を引き寄せて、当該ワイヤロープ４が縦形タンク６側面に擦れないようにするために使う干渉防止手段１８がぶら下げてある。
【００２７】
干渉防止手段１８には、チェーンブロックやレバーホイストなどのように、相対間隔が可変な２つの係止具（フック）を有する既製の工具を用いる。
【００２８】
すなわち、チェーンブロックやレバーホイストなどの既製工具の一方のフックをアーム１５に取り付け、ワイヤロープ４のアイプレート１０よりも少し下側の部位に、フックを取りつかせるために短尺のワイヤロープ、もしくはリンクチェーンを絡げたうえ、これに既製工具の他方のフックを係合させ、両フックの間隔が狭まるように既製工具、つまり、干渉防止手段１８を操作すると、フック間隔の縮小に伴ってワイヤロープ４のフック係合部位がアーム１５の先端へと引き寄せられて、結果的に隣り合うワイヤロープ４の間隔が拡がる。
【００２９】
揚重作業準備時には、吊具のビーム３が盤木や架台などを介して建屋床面に定置されている状態や、あるいはシャフト５に係合したクレーンのフック１を上昇させて建屋床面に比較的近いところに吊具のビーム３が位置した状態で、隣り合うワイヤロープ４の間隔を拡げる操作を行う。
【００３０】
図１（ａ）、図１（ｃ）は、フック１がクレーンの巻上限界まで上昇した状態を表しているが、先に述べたようにクレーンのフック１は、フレーム２の上方から荷重伝達部材８の間に入ってシャフト５に係合するので、フック１と吊具との間に玉掛け用ワイヤロープを介在させる必要が全くなく、しかも、フック１がフレーム２に入り込んだ分に相当する高さを、揚重作業時の吊上げ代に充てることができる。
【００３１】
縦形タンク６の移動に際しては、図１（ａ）のように、隣り合うワイヤロープ４の間隔を拡げたまま、巻上限界まで上昇しているフック１を横移動させ、ワイヤロープ４が縦形タンク６の側面に接触しないようにしながら、縦形タンク６の直上に吊具のフレーム２を位置させる。
【００３２】
次いで、フック１を下降させて吊具全体を縦形タンク６の上端に近付けた後、干渉防止手段１８の係止具（フック）の間隔を拡げて、ワイヤロープ４をビーム３の先端から垂下させる。
【００３３】
干渉防止手段１８の係止具の間隔を拡げる操作を行う作業者は、仮設足場や高所作業用車両などの工場にある備品を使って干渉防止手段１８へと近寄る。
【００３４】
ピン１２、連結部材１３、ピン１４によって、図１（ｂ）のように縦形タンク６のアイプレート１１とワイヤロープ４の下端部位とを結び、図１（ｃ）のようにフック１の上昇により縦形タンク６を建屋床面から離し、更に、フック１を横移動させて縦形タンク６を低床台車などの運搬手段に載せる。
【００３５】
よって、吊具さえ新製すれば、建屋に既設のクレーンによって縦形タンク６を短時間のうちに低床台車に載せることができる。
【００３６】
この後、ワイヤロープ４の緊張が取り除かれるように、フック１を下降させて吊具全体を縦形タンク６の上端に近付け、縦形タンク６のアイプレート１１からワイヤロープ４の下端部位を解き放ち、干渉防止手段１８でワイヤロープ４のアイプレート１０よりも少し下側の部位をアーム１５の先端へと引き寄せて、結果的に隣り合うワイヤロープ４の間隔を拡げる。
【００３７】
更に、フック１を巻上限界まで上昇させてからワイヤロープ４が縦形タンク６の側面に接触しないようにフック１を横移動させ、吊具全体を縦形タンク６の側方へと逃がして、一連の作業を完了する。
【００３８】
なお、本発明の吊具及びその使用方法は、上述した実施の形態のみに限定されるものではなく、本発明の要旨を逸脱しない範囲において変更を加え得ることは勿論である。
【産業上の利用可能性】
【００３９】
本発明の吊具及びその使用方法は、様々な構造物の積付作業に適用できる。
【図面の簡単な説明】
【００４０】
【図１】本発明の吊具の使用方法の手順を示す概念図である。
【図２】本発明の吊具の一例の下方視図である。
【図３】本発明の吊具の一例の部分破断側方視図である。
【図４】図１における縦形タンク下端の詳細を示す径方向視図である。
【図５】図１における縦形タンク下端の詳細を示す接線方向視図である。
【図６】図２におけるアーム付近の詳細を示す下方視図である。
【図７】図３におけるアーム付近の詳細を示す側方視図である。
【符号の説明】
【００４１】
１  フック
２  フレーム
３  ビーム
４  ワイヤロープ（ロープ）
５  シャフト
６  縦形タンク（背高対象物）
１５  アーム
１８  干渉防止手段
【図１】
2008239287.tif 000003
【図２】
2008239287.tif 000004
【図３】
2008239287.tif 000005
【図４】
2008239287.tif 000006
【図５】
2008239287.tif 000007
【図６】
2008239287.tif 000008
【図７】
2008239287.tif 000009